(57)【要約】【課題】バックライト照明の消灯時にも視認性及び表示品位を維持することができる表示装置及び表示方法、並びにプログラムを提供する。【解決手段】表示装置１５は、液晶パネル表示素子９と、バックライト照明１１と、システム制御回路１とを備える。システム制御回路１は、バックライト照明１１の点灯モードでの液晶パネル表示素子９への表示開始要求があるときは、バックライト照明１１の点灯中に画像表示するための第１の表示データを生成する。また、システム制御回路１は、バックライト照明１１の消灯モードでの液晶パネル表示素子９への表示開始要求があるときは、バックライト照明１１の消灯中に画像表示するための第２の表示データを生成する。【選択図】図２
2008026546.tif 000002
【特許請求の範囲】
【請求項１】
表示データを表示する液晶表示手段と、前記液晶表示部を照明する照明手段とを備える表示装置において、
前記照明手段の状態を制御する制御手段と、
前記照明手段の状態に基づいて前記液晶表示手段に表示する表示データを生成する生成手段とを備えることを特徴とする表示装置。
【請求項２】
前記生成手段は、前記照明手段の点灯時には第１の表示データを生成し、前記照明手段の消灯時には第２の表示データを生成することを特徴とする請求項１記載の表示装置。
【請求項３】
前記生成手段は、前記第１の表示データの色階調を変更することにより前記第２の表示データを生成することを特徴とする請求項１又は２記載の表示装置。
【請求項４】
前記生成手段は、前記第１の表示データのコントラストを変更することにより前記第２の表示データを生成することを特徴とする請求項１乃至３のいずれか１項に記載の表示装置。
【請求項５】
前記生成手段は、前記第１の表示データの色パレットを変更することにより前記第２の表示データを生成することを特徴とする請求項１乃至４のいずれか１項に記載の表示装置。
【請求項６】
前記制御手段は、前記照明手段の輝度を多段階に変更し、前記生成手段は、前記照明手段の輝度に基づいて前記液晶表示手段に表示する表示データを生成することを特徴とする請求項１記載の表示装置。
【請求項７】
表示データを表示する液晶表示手段と、前記液晶表示部を照明する照明手段とを備える表示装置において、
前記照明手段の状態を制御する制御手段と、
前記照明手段の状態に応じて前記液晶表示手段に表示する表示データを変更する変更成手段とを備えることを特徴とする表示装置。
【請求項８】
前記変更手段は、前記表示データの色階調を変更することを特徴とする請求項７記載の表示装置。
【請求項９】
前記変更手段は、前記表示データのコントラストを変更することを特徴とする請求項７または８に記載の表示装置。
【請求項１０】
前記変更手段は、前記表示データの色パレットを変更することを特徴とする請求項７乃至９のいずれか１項に記載の表示装置。
【請求項１１】
前記制御手段は、前記照明手段の輝度を多段階に変更し、前記変更手段は、前記照明手段の輝度に応じて前記液晶表示手段に表示する表示データを変更することを特徴とする請求項７記載の表示装置。
【請求項１２】
表示データを表示する液晶表示手段と、前記液晶表示部を照明する照明手段とを備える表示装置の表示方法において、
前記照明手段の状態を制御する制御ステップと、
前記照明手段の状態に基づいて前記液晶表示手段に表示する表示データを生成する生成ステップとを備えることを特徴とする表示方法。
【請求項１３】
表示データを表示する液晶表示手段と、前記液晶表示部を照明する照明手段とを備える表示装置の表示方法において、
前記照明手段の状態を制御する制御ステップと、
前記照明手段の状態に応じて前記液晶表示手段に表示する表示データを変更する変更成ステップとを備えることを特徴とする表示方法。
【請求項１４】
表示データを表示する液晶表示手段と、前記液晶表示部を照明する照明手段とを備える表示装置で実行されるコンピュータ読み取り可能なプログラムにおいて、
前記照明手段の状態を制御する制御モジュールと、
前記照明手段の状態に基づいて前記液晶表示手段に表示する表示データを生成する生成モジュールとを備えることを特徴とするプログラム。
【請求項１５】
表示データを表示する液晶表示手段と、前記液晶表示部を照明する照明手段とを備える表示装置で実行されるコンピュータ読み取り可能なプログラムにおいて、
前記照明手段の状態を制御する制御モジュールと、
前記照明手段の状態に応じて前記液晶表示手段に表示する表示データを変更する変更成モジュールとを備えることを特徴とするプログラム。
【発明の詳細な説明】
【技術分野】
【０００１】
本発明は、表示装置及び表示方法、並びにプログラムに関し、特に、バックライト照明型の液晶表示素子に対する表示機能を用いた表示装置及び表示方法、並びにプログラムに関する。
【背景技術】
【０００２】
従来より、表示装置における他発光型の液晶表示素子として、バックライト照明を光源とする透過型と、外光を光源とする反射型と、バックライト照明及び外光の両方を光源とする半透過型とが知られている。透過型の液晶表示素子では、バックライト照明の輝度が表示視認性に大きく影響するが、反射型又は半透過型の液晶表示素子では、外光を光源としているのでバックライト照明が無い状態でも外光がある程度明るければ表示視認性を確保することができる。
【０００３】
また、液晶表示素子は、ブラウン管に比べて非常に軽量かつ薄型であるため、デジタルカメラ、ＰＤＡ等の携帯型家電機器の表示装置として使用されることが多い。尚、このような携帯型家電機器では、電池を使用しているので連続使用時間が限られている。特に、バックライト照明の消費電力は大きい。そこで、最低限の表示視認性を確保できる場合にはバックライト光源を消灯することで消費電力を低減し、連続使用時間を改善する技術が行われている（特許文献１参照）。
【０００４】
一方、近年の液晶表示素子の大型、高細、フルカラー化により液晶表示素子に表示される表示データも個性的になり、多階調色、使用文字数の増加、色付きアイコン表示等、多彩な表現が多くなってきている。
【特許文献１】特開平１１−１１９３２２号公報
【発明の開示】
【発明が解決しようとする課題】
【０００５】
しかしながら、上記従来の技術では、バックライト照明の点灯時にも消灯時にも同じ多彩な表現の表示データを表示している。半透過型及び反射型の液晶表示素子では、バックライト照明の消灯時にも外光により輝度や色彩度をある程度確保できるものの、バックライト照明を消灯すると輝度及び色彩度が低下し、表示データの再現性は低くなる。
【０００６】
そのため、バックライト照明の消灯時に、色つきアイコン表示等の多彩な表現の表示データを液晶表示素子に表示した場合には、表示データの視認性及び表示品位が低下する。
【０００７】
本発明の目的は、バックライト照明の消灯時にも視認性及び表示品位を維持することができる表示装置及び表示方法、並びにプログラムを提供することにある。
【課題を解決するための手段】
【０００８】
上述の目的を達成するために、本発明の表示装置は、表示データを表示する液晶表示手段と、前記液晶表示部を照明する照明手段とを備える表示装置において、前記照明手段の状態を制御する制御手段と、前記照明手段の状態に基づいて前記液晶表示手段に表示する表示データを生成する生成手段とを備えることを特徴とする。
【０００９】
上述の目的を達成するために、本発明の表示方法は、表示データを表示する液晶表示手段と、前記液晶表示部を照明する照明手段とを備える表示装置の表示方法において、前記照明手段の状態を制御する制御ステップと、前記照明手段の状態に基づいて前記液晶表示手段に表示する表示データを生成する生成ステップとを備えることを特徴とする。
【００１０】
上述の目的を達成するために、本発明のプログラムは、表示データを表示する液晶表示手段と、前記液晶表示部を照明する照明手段とを備える表示装置で実行されるコンピュータ読み取り可能なプログラムにおいて、前記照明手段の状態を制御する制御モジュールと、前記照明手段の状態に基づいて前記液晶表示手段に表示する表示データを生成する生成モジュールとを備えることを特徴とする。
【発明の効果】
【００１１】
本発明によれば、照明手段の状態を制御し、照明手段の状態におうじて基づいて液晶表示手段に表示する表示データを生成するので、バックライト照明の消灯時にも視認性及び表示品位を維持することができる。
【発明を実施するための最良の形態】
【００１２】
以下、本発明の実施の形態を図面を参照しながら詳述する。
【００１３】
図１は、本発明の実施の形態に係る表示装置の内部構成を示すブロック図である。
【００１４】
図１において、表示装置１５は、システム制御回路１、電源スイッチ２、電源ユニット３、電池４、操作部材５、タイマー制御部６、画像表示処理部７、液晶駆動回路８、及び液晶パネル表示素子９を備える。また、表示装置１５は、照明輝度変更回路１０、バックライト照明１１、ＲＡＭ制御回路１２、ＲＡＭ１３、及び不揮発性メモリ１４を備える。
【００１５】
システム制御回路１は、中央処理プロセッサにより構成され、表示装置１５全体を制御する。電源スイッチ２は、表示装置１５の電源投入／遮断を切り替える。電源ユニット３は、表示装置１５全体に供給する各種電源を生成する。また、電源ユニット３は、供給先のブロックに応じて、システム制御回路１５から独立して電源投入制御が可能である。即ち、電源ユニット３は、常時動作する必要が無いブロックには適切に電源制御することにより、省電力制御が可能である。
【００１６】
表示装置１５は、携帯型を想定しており、電池４としては、アルカリ電池等の一次電池や、ニッケル水素充電池等を使用することが可能である。システム制御回路１５は、電源ユニット３より電池４の電池残量を検出し、電池の交換時期を液晶パネル表示素子９に表示する。
【００１７】
操作部材５は、表示装置１５を操作するための各種の操作部材である。操作部材５には、表示装置１５の動作状態を切り替えるモード設定ダイアル、詳細な設定を選択可能なメニューを表示させるメニューボタン、及びメニュー表示中に画面内の各項目の選択／取消を行うための選択操作キーが含まれる。また、操作部材５には、決定ボタン、取消ボタン、及び強制的にスリープモードに移行するためのスリープボタン等も含まれる。
【００１８】
タイマー制御部６は、時計機能、カレンダー機能、タイマーカウンター機能、及びアラーム機能を有し、スリープモードへの移行時間や、アラーム通知等のシステム管理に使用される。
【００１９】
画像表示処理部７は、ＲＡＭ１３に割り当てられた画像表示用領域に格納された表示データを、液晶駆動回路８へ表示可能なデータ形式に変換するための演算処理回路であり、水平／垂直同期信号、ドットクロック信号を出力する。また、画像表示処理部７は、表示データの輝度信号に対してゲイン補正を行うコントラスト変更機能、表示データの画素に対する誤差拡散演算処理、及びディザ演算処理後に量子化処理を行う色階調変更機能を有する。さらに、画像表示処理部７は、文字やアイコンを背景画像データと任意な位置に合成表示させるスプライト機能、文字やアイコンを任意の大きさする拡大／縮小機能、及び文字やアイコンの色を任意に変更可能な色パレット変更機能を有する。
【００２０】
液晶駆動回路８は、画像表示処理部７より入力された信号に基づいて、液晶表示パネル素子９に対して駆動するためのＲＧＢ独立出力信号、駆動タイミング信号、電源を生成し供給する。また、液晶駆動回路８は、システム制御回路１の通信設定により、画像表示処理部７の表示データに対して、マトリクス変換テーブル、ピクチャー補正、ブライト補正、コントラスト補正、γ補正、左右上下反転表示制御、及び表示位置調整等を行う。
【００２１】
液晶表示パネル素子９は、薄膜トランジスタアクティブマトリクス駆動方式を用いる。また、液晶表示パネル素子９は、照明方式として透過方式、半透過方式、又は反射方式等を用いる。
【００２２】
照明輝度変更回路１０は、バックライト照明１１の照明輝度を段階的に調整する。即ち、照明輝度変更回路１０は、システム制御回路１からの電圧駆動及びＰＷＭ駆動等により、バックライト照明１１の発光体に流す電流を制限することで、照明輝度をリニアに変更する。
【００２３】
バックライト照明１１は、液晶パネル表示素子９の背面に固定されており、ＬＥＤや蛍光管等により構成される。また、バックライト照明１１は、液晶パネル表示素子９の背面から投光し、液晶パネル表示素子９の各画素に印加された電圧に応じて光透過率が変化し、ＲＧＢカラーフィルターを通過することで、色再現が可能である。
【００２４】
ＲＡＭ制御回路１２は、システム制御回路１、画像表示処理部７、及びＲＡＭ１３の間のデータ転送制御を行う。また、ＲＡＭ制御回路１２は、高速転送可能なようにダイレクトメモリアクセスコントロール機能を有し、画像表示処理部７にシステム制御回路１を介すことなく直接表示データを転送することができる。
【００２５】
ＲＡＭ１３は、高速性揮発性メモリであり、システム制御回路１のプログラムスタック領域、ステータス記憶領域、演算用領域、ワーク用領域、及び画像表示データ用領域が確保されている。また、本発明における第１表示データ、第２表示データを生成する際の一時作業用として割り当てる場合もある。
【００２６】
不揮発性メモリ１４は、フラッシュメモリ等の電気的に消去・記録可能な不揮発性メモリにより構成される。また、不揮発性メモリ１４には、表示装置１５のメニュー設定情報、及び制御プログラムが格納されている。また、不揮発性メモリ１４には、文字フォントデータや、アイコンデータ、メニュー項目、メニュー背景、及び色パレット情報等の表示画像データを構成するために必要なデータが格納されている。なお、後述する図２又は図３の処理をシステム制御回路１に実行させるためのプログラムは、不揮発性メモリ１４に格納されている。
【００２７】
図２は、図１におけるシステム制御回路１により実行される液晶表示制御処理のフローチャートである。
【００２８】
図２において、システム制御回路１は、本処理に移行する際の操作部材５の状態、及びタイマー制御部６のスリープモードの状態を取得する。これらの状態に基づいて、バックライト照明１１の点灯モードでの液晶パネル表示素子９への表示開始要求があるか否かを判別する（ステップＳ１）。この判別の結果、バックライト照明１１の点灯モードでの液晶パネル表示素子９への表示開始要求があるときは、ステップＳ２に進む。一方、バックライト照明１１の点灯モードでの液晶パネル表示素子９への表示開始要求がないときは、ステップＳ７に進む。
【００２９】
ステップＳ２では、システム制御回路１は、バックライト照明１１の点灯中に画像表示するための第１の表示データを生成する。第１の表示データは、不揮発性メモリ１４に予め用意された表示データに基づいて生成される。
【００３０】
次に、システム制御回路１は、ステップＳ２で生成された第１の表示データをＲＡＭ１３の画像表示用領域に転送する（ステップＳ３）。
【００３１】
次に、システム制御回路１は、画像表示処理設定を行う（ステップＳ４）。即ち、システム制御回路１は、画像表示処理部７のレジスタ設定を行い、液晶駆動回路８に対して表示データ信号の出力を開始する。
【００３２】
次に、システム制御回路１は、通信により液晶駆動回路８に対して液晶パネル表示素子９の駆動開始命令を送出して液晶パネル表示素子９の駆動を開始させる（ステップＳ５）。液晶駆動回路８は、システム制御回路１から駆動開始命令を受信してから所定の出力安定期間経過後、液晶パネル表示素子９に駆動信号の出力を開始する。
【００３３】
次に、システム制御回路１は、照明輝度変更部１０に対して適切な輝度を設定してバックライト照明１１を点灯させ（ステップＳ６）、本処理を終了する。これにより、液晶パネル表示素子９には、第１の表示データによる表示が行われる。
【００３４】
ステップＳ７では、ステップＳ１で取得した状態に基づいて、バックライト照明１１の消灯モードでの液晶パネル表示素子９への表示開始要求があるか否かを判別する。この判別の結果、バックライト照明１１の消灯モードでの液晶パネル表示素子９への表示開始要求があるときは、ステップＳ８に進む。一方、バックライト照明１１の消灯モードでの液晶パネル表示素子９への表示開始要求がないときは、液晶パネル表示素子９への表示停止要求であると判断し、ステップＳ１３に進む。
【００３５】
ステップＳ８では、システム制御回路１は、バックライト照明１１の消灯中に画像表示するための第２の表示データを生成する。第２の表示データは、第１の表示データ及び不揮発性メモリ１４に予め用意された変換情報に基づいて、画像表示処理部７の文字アイコン色パレット変更機能、コントラスト変更機能、色階調変更機能、文字アイコンの拡大機能等により生成される。
【００３６】
次に、システム制御回路１は、ステップＳ８で生成された第２の表示データをＲＡＭ１３の画像表示用領域に転送する（ステップＳ９）。
【００３７】
次に、システム制御回路１は、画像表示処理設定を行う（ステップＳ１０）。即ち、システム制御回路１は、画像表示処理部７のレジスタ設定を行い、液晶駆動回路８に対して表示データ信号の出力を開始する。
【００３８】
次に、システム制御回路１は、通信により液晶駆動回路８に対して液晶パネル表示素子９の駆動開始命令を送出して液晶パネル表示素子９の駆動を開始させる（ステップＳ１１）。液晶駆動回路８は、システム制御回路１から駆動開始命令を受信してから所定の出力安定期間経過後、液晶パネル表示素子９に駆動信号の出力を開始する。
【００３９】
次に、システム制御回路１は、照明輝度変更部１０に対してバックライト照明１１を消灯する設定を実行してバックライト照明１１を消灯させ（ステップＳ１２）、本処理を終了する。これにより、液晶パネル表示素子９には、第２の表示データによる表示が行われる。
【００４０】
ステップＳ１３では、システム制御回路１は、照明輝度変更部１０に対してバックライト照明１１を消灯する設定を実行してバックライト照明１１を消灯させる。
【００４１】
次に、システム制御回路１は、通信により液晶駆動回路８に対して液晶パネル表示素子９の駆動停止命令を送出して液晶パネル表示素子９の駆動を停止させる（ステップＳ１４）。液晶駆動回路８は、システム制御回路１から駆動停止命令を受信後、直ちに液晶パネル表示素子９への駆動信号の出力を停止する。
【００４２】
次に、システム制御回路１は、画像表示処理設定を解除し（ステップＳ１５）、本処理を終了する。即ち、システム制御回路１は、画像表示処理部７のレジスタ設定を行い、液晶駆動回路８に対する表示データ信号の出力を停止する。これにより、液晶パネル表示素子９には何も表示されなくなる。
【００４３】
図２の処理によれば、バックライト照明１１の消灯モードでの液晶パネル表示素子９への表示開始要求があるときは（ステップＳ７でＹＥＳ）、システム制御回路１は、バックライト照明１１の消灯中に画像表示するための第２の表示データを生成する。これにより、バックライト照明１１の消灯時にも視認性及び表示品位を維持することができる。
【００４４】
図３は、図２の液晶表示制御処理の変形例のフローチャートである。
【００４５】
本処理では、バックライト照明１１の輝度の段階変更に応じた表示データを生成する。
【００４６】
図３において、システム制御回路１は、本処理に移行する際の操作部材５の状態を取得する。この状態に基づいて、液晶パネル表示素子９への表示開始要求があるか否かを判別する（ステップＳ２０）。
【００４７】
この判別の結果、液晶パネル表示素子９への表示開始要求があるときは、ステップＳ２１に進む。一方、液晶パネル表示素子９への表示停止要求があるときは、ステップＳ２７に進む。
【００４８】
ステップＳ２１では、システム制御回路１は、メニュー設定等で任意に設定、又は自動的に設定された照明輝度設定情報に基づいて、照明輝度変更回路１０に対して適切な輝度を設定し、バックライト照明１１の輝度を設定する。尚、照明輝度設定情報は、最低値の設定状態を消灯としてもよい。
【００４９】
次に、ステップＳ２１で設定された輝度に応じた表示データを生成する（ステップＳ２２）。即ち、システム制御回路１は、不揮発性メモリ１４に予め用意された輝度→表示データ変換情報により、画像表示処理部７の文字アイコン色パレット変更機能、コントラスト変更機能、色階調変更機能、文字アイコンの拡大機能等により表示データを生成する。
【００５０】
次に、システム制御回路１は、ステップＳ２２で生成された表示データをＲＡＭ１３の画像表示用領域に転送する（ステップＳ２３）。
【００５１】
次に、システム制御回路１は、画像表示設定を行う（ステップＳ２４）。即ち、システム制御回路１は、画像表示処理部７のレジスタ設定を行い、液晶駆動回路８に対して表示データ信号の出力を開始する。
【００５２】
次に、システム制御回路１は、通信により液晶駆動回路８に対して液晶パネル表示素子９の駆動開始命令を送出して液晶パネル表示素子９の駆動を開始させる（ステップＳ２５）。液晶駆動回路８は、システム制御回路１から駆動開始命令を受信してから所定の出力安定期間経過後、液晶パネル表示素子９に駆動信号の出力を開始する。
【００５３】
次に、システム制御回路１は、照明輝度変更部１０に対して設定された輝度でバックライト照明１１を点灯させ（ステップＳ２６）、本処理を終了する。これにより、液晶パネル表示素子９には、バックライト照明１１の輝度に応じた表示データによる表示が行われる。
【００５４】
ステップＳ２７では、システム制御回路１は、照明輝度変更部１０に対してバックライト照明１１を消灯する設定を実行してバックライト照明１１を消灯させる。
【００５５】
次に、システム制御回路１は、通信により液晶駆動回路８に対して液晶パネル表示素子９の駆動停止命令を送出して液晶パネル表示素子９の駆動を停止させる（ステップＳ２８）。液晶駆動回路８は、システム制御回路１から駆動停止命令を受信後、直ちに液晶パネル表示素子９への駆動信号の出力を停止する。
【００５６】
次に、システム制御回路１は、画像表示処理設定を解除し（ステップＳ２９）、本処理を終了する。即ち、システム制御回路１は、画像表示処理部７のレジスタ設定を行い、液晶駆動回路８に対する表示データ信号の出力を停止する。これにより、液晶パネル表示素子９には何も表示されなくなる。
【００５７】
図３の処理によれば、設定された輝度に応じた表示データを生成する（ステップＳ２２）ので、バックライト照明１１の消灯時にも視認性及び表示品位を維持することができる。
【００５８】
尚、本実施の形態に係る表示装置１５は、電子撮像装置等の表示装置として用いられてもよい。
【００５９】
図４は、本発明の第２の実施の形態に係る表示装置を有する電子撮像装置の構成を示すブロック図である。
【００６０】
図４において、電子撮像装置１００には、レンズユニット２００、及びストロボユニット３００が接続されている。
【００６１】
レンズユニット２００は、レンズ用インターフェース２０１、レンズマウント２０２、レンズ制御回路２０３、レンズ２１０、及び絞り２１１を備える。
【００６２】
ストロボユニット３００は、アクセサリシュー接続部３０１、及びストロボ発光制御回路３０２を備える。
【００６３】
電子撮像装置１００は、レンズ用インターフェース１０１、レンズマウント１０２、アクセサリシュー１１１、システム制御回路１２０、撮像素子１２１、Ａ／Ｄ変換部１２２、画像処理回路１２３、メモリ制御回路１２４、及び液晶パネル表示部１２５を備える。
【００６４】
また、電子撮像装置１００は、バックライト照明１２６、メモリ１２７、外部着脱メモリ部１２８、不揮発性メモリ１２９、電源回路１３０、再生スイッチ１３１、メニュースイッチ１３２、モードダイアル１３３、及びレリーズスイッチ１３４を備える。
【００６５】
さらに、電子撮像装置１００は、各種操作部材１３５、電源スイッチ１３６、カメラ制御回路１４０、シャッター制御部１４１、測光部１４２、測距部１４３、及びシャッター１４４を備える。
【００６６】
撮像素子１２１は、レンズ２１０、絞り２１１、レンズマウント２０５，１０５、及びシャッター１４４を介して結像された被写体の光学像を電気信号に変換する。Ａ／Ｄ変換部１２２は、撮像素子１２１から出力されたアナログ信号をディジタル信号に変換する。変換されたディジタル信号は、メモリ制御回路１２４及びシステム制御回路１２０により制御され、メモリ１２７に格納される。
【００６７】
画像処理回路１２３は、ディジタル信号のデータ又はメモリ制御回路１２４からのデータに対して所定の画素補間処理や色変換処理を行う。また、画像処理回路１２３は、適応離散コサイン変換（ＡＤＣＴ）等により画像データを圧縮伸長する圧縮・伸長回路も備えており、メモリ１２７に格納された画像を読み込んで圧縮処理又は伸長処理を行い、処理を終えたデータをメモリ１２７に書き込む。さらに、画像処理回路１２３は、撮像した画像データを用いて所定の演算処理を行い、得られた演算結果に基づいてＴＴＬ方式のＡＷＢ（オートホワイトバランス）処理を行う。さらに、画像処理回路１２３は、輝度信号に対してゲイン補正を行うコントラスト変更機能、画素に対して誤差拡散演算処理や、ディザ演算処理後、量子化処理を行う色階調変更機能を有する。さらに、画像処理回路１２３は、文字や、アイコンを背景画像データと任意な位置に合成表示させるスプライト機能、文字やアイコンを任意の大きさする拡大／縮小機能、文字やアイコンの色を任意に変更可能な、色パレット変更機能を有する。
【００６８】
メモリ制御回路１２４は、Ａ／Ｄ変換部１２２、画像処理回路１２３、液晶パネル表示部１２５、外部着脱メモリ１２８、及びメモリ１２７間のデータの送受を制御する。Ａ／Ｄ変換部１２２のデータが画像処理回路１２３、メモリ制御回路１２４を介して、又はＡ／Ｄ変換部１２２のデータが直接メモリ制御回路１２４を介して、メモリ１２７に書き込まれる。
【００６９】
液晶パネル表示部１２５は、メモリ１２７の表示データ用格納領域へ書き込まれた、ニュー画面、または外部着脱メモリ部１２８に格納された画像ファイルを表示する。
【００７０】
バックライト照明１２６は、液晶パネル表示部１２５に対する背面照射である。バックライト照明１２６の光源素子としては、ＬＥＤ、有機ＥＬ、蛍光管等がある。バックライト照明１２６は、システム制御回路１２０の指示により任意に点灯又は消灯することが可能であり、消灯にした場合には電子撮像装置１００の電力消費を大幅に低減することができる。また、バックライト照明１２６は、システム制御回路１２０により、電圧駆動方式又はＰＷＭ駆動方式のいずれかにより光源素子の通電電流を制限することで、輝度を調整する調光機能を有する。
【００７１】
メモリ１２７は、撮影した静止画像、再生用表示のための画像を格納する。メモリ１２７は、所定枚数の静止画像を格納するのに十分な記憶量を備えている。尚、メモリ１２７は、システム制御回路１２０の作業領域、表示データ変換の際の作業領域としても使用することができる。
【００７２】
外部着脱メモリ部１２８は、コンパクトフラッシュ（登録商標）やＳＤカードといった記録媒体に画像ファイル記録や読出を行う。
【００７３】
不揮発性メモリ１２９は、電気的に消去・記録可能であり、例えばフラッシュメモリやＥＥＰＲＯＭ等が用いられる。また、不揮発性メモリ１２９には、撮影状態の保存や、電子撮像装置１００を制御するプログラムが格納されている。
【００７４】
電源回路１３０は、電池検出回路、ＤＣ−ＤＣコンバータ、通電するブロックを切り替えるスイッチ回路等により構成されている。また、電源回路１３０は、電池の装着の有無、電池の種類、電池残量の検出を行い、検出結果及びシステム制御回路１２０の指示に基づいてＤＣ−ＤＣコンバータを制御し、必要な電圧を必要な期間、各ブロック部へ供給する。
【００７５】
システム制御回路１２０は、電子撮像装置１００の動作状態に伴い、不要なブロックへの電源供給を停止することで、省電力へのパワーマネージメント制御を行っている。例えば、システム制御回路１２０は、画像再生表示やメニュー画面表示の場合カメラ制御ブロックは動作不要のため、カメラ制御回路１４０、測光部１４２、測距部１４３、撮像素子１２１、レンズユニット２００、ストロボユニット３００への供給電源を遮断する。
【００７６】
シャッター制御部１４１は、絞り２１１を制御するレンズ制御回路２０３と連携しながら、測光部１４２からの測光情報に基づいてシャッター１４４を制御する。
【００７７】
測光部１４２は、ＡＥ（自動露出）処理を行う。測光部１４２は、レンズ２１０に入射した光線を、絞り２１１、レンズマウント２０２及び１０２、不図示の測光用レンズを介して、測光部１４２に入射させることにより、光学像として結像された画像の露出状態を測定することができる。また、測光部１４２は、ストロボユニット２００と連携することによりＥＦ（フラッシュ調光）処理機能も有するものである。また、ストロボユニット２００は、ＡＦ補助光の投光機能、及びフラッシュ調光機能を有する。
【００７８】
測距部１４３は、ＡＦ（オートフォーカス）処理を行う。測距部１４３は、レンズ２１０に入射した光線を、絞り２１１、レンズマウント２０２及び１０２、不図示の測距用ミラーを介して、測距部１４３に入射させることにより、光学像として結像された画像の合焦状態を測定する。また、電子撮像装置１００は、測距部１４３及び測光部１４２を専用に備える構成であるので、測距部１４３及び測光部１４２を用いてＡＦ（オートフォーカス）処理、ＡＥ（自動露出）処理、ＥＦ（フラッシュ調光）処理の各処理を行う。
【００７９】
カメラ制御回路１４０は、シャッター制御部１４１、測光部１４２、測距部１４３との送受通信によりカメラとしての一連の動作を制御する。また、カメラ制御回路１４０は、レンズユニット２００、ストロボユニット３００を制御する。
【００８０】
システム制御回路１２０は、電子撮像装置１００全体を制御する。操作部材１３１，１３２，１３３，１３４，１３５，１３６は、システム制御回路１２０の各種の動作指示を入力するために用いられる。これらの操作部材は、スイッチ、ダイアル、タッチパネル、視線検知によるポインティング、音声認識装置等の単数又は複数の組み合わせで構成される。
【００８１】
再生スイッチ１３１は、液晶表示パネル部１２５に所定の画像データを表示する再生表示モード操作に用いる。外部着脱メモリ部１２８に格納された画像ファイルを再生表示する場合は、必ずこの再生スイッチ１３１により操作する必要がある。また、すでに再生表示モードで、この再生スイッチ１３１の操作が行われた場合には、再生表示モードから撮影モードへの切り替えができる。
【００８２】
メニュースイッチ１３２は、液晶表示パネル部１２５に各種項目一覧を表示するのに用いる。この各種項目一覧の表示内容としては、撮影に関する状態設定、記録媒体のフォーマット、時計の設定、現像パラメータ設定、及びユーザー機能設定（カスタム機能の設定）がある。
【００８３】
モードダイアル１３３は、各機能撮影モードを切り替え設定するのに用いられる。各機能撮影モードは、自動撮影モード、プログラム撮影モード、シャッター速度優先撮影モード、絞り優先撮影モード、マニュアル撮影モード、ポートレート撮影モード、風景撮影モード、スポーツ撮影モード、夜景撮影モード等である。
【００８４】
レリーズスイッチ１３４は、レリーズボタンの操作途中（ＳＷ１）及び操作完了（ＳＷ２）で各々ＯＮとなるスイッチである。レリーズスイッチ１３４は、操作途中状態ではＡＦ（オートフォーカス）処理、ＡＥ（自動露出）処理、ＡＷＢ（オートホワイトバランス）処理、ＥＦ（フラッシュ調光）処理等の動作開始を指示する。また、レリーズスイッチ１３４は、操作完了で露光処理、現像処理、記録処理という一連の処理の動作開始を指示する。
【００８５】
各種操作部材１３５は、各種スイッチからなる操作部である。各種操作部材１３５は、例えば、撮影モード、連写モード、セット、マクロ、ページ送り、ページ戻り、フラッシュ設定、メニュー移動＋（プラス）、メニュー移動−（マイナス）、ホワイトバランス選択、撮影画質選択、露出補正等を操作部材を含む。また、各種操作部材１３５は、日付／時間設定、画像再生の拡大／縮小のズーム倍率を変更するズーム倍率＋、ズーム倍率−、上下左右方向スイッチ、液晶パネル表示部１２５のＯＮ／ＯＦＦを設定する画像表示ＯＮ／ＯＦＦスイッチ等を含む。さらに、各種操作部材１３５は、クイックレビューＯＮ／ＯＦＦスイッチ、圧縮モードスイッチ、画像消去スイッチ、ワンショットＡＦモードとサーボＡＦモードとを設定することができるＡＦモード設定スイッチ等を含む。
【００８６】
また、上記プラスボタン及びマイナスボタンの各機能は、回転ダイアルスイッチや十字キーを備えることによって、より軽快に数値や機能を選択することが可能となる。
【００８７】
電源スイッチ１３６は、電子撮像装置１００の電源オン、電源オフの各モードを切り替え設定するのに用いられる。また、電源スイッチ１３６は、電子撮像装置１００に接続されたレンズユニット２００、ストロボユニット３００、記録媒体等の各種付属装置の電源オン、電源オフの設定にも用いられる。
【００８８】
レンズマウント１０２，２０２は、電子撮像装置１００をレンズユニット２００と接続するためのインターフェースである。レンズ用インターフェース１０１，２０１は、電子撮像装置１００をレンズユニット２００と電気的に接続するコネクタであり、カメラ制御回路１４０により制御される。
【００８９】
アクセサリシュー１１１、及びアクセサリシュー接続部３０１は、電子撮像装置１００をストロボユニット３００と接続するためのインターフェースである。
【００９０】
レンズユニット２００は、不図示の被写体の光学像をレンズ２１０から、絞り２１１、レンズマウント２０２及び１０２、シャッター１４４を介して導き、撮像素子１２１上に結像する。
【００９１】
レンズ制御回路２０３は、レンズユニット２００全体を制御する。レンズ制御回路２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能を備える。また、レンズ制御回路２０３は、絞り２１１を制御したり、撮影レンズ２１０のフォーカシングを制御したり、撮影レンズ２１０のズーミングを制御する機能を備える。
【００９２】
ストロボユニット３００は、アクセサリシュー１１１に接続される。ストロボ発光制御回路３０２は、ストロボユニット３００全体を制御し、不図示のキセノン菅等の発光部に対し、測光部１４２からの情報を元に、発光量や、発光タイミングを制御する。
【００９３】
アクセサリシュー接続部３０１は、アクセサリシュー１１１内において、ストロボユニット３００と電子撮像装置１００とを電気的に接続するインターフェースである。
【００９４】
図５及び図６は、図４におけるシステム制御回路１２０により実行される制御処理のフローチャートである。
【００９５】
図５及び図６において、システム制御回路１２０は、電池交換等の電源投入により、所定の初期設定を行う（ステップＳ１００）。即ち、カメラ制御回路１４０やシステム制御回路１２０は、フラグや制御変数等を初期化する。また、外部着脱メモリ部１２８により不図示の記録媒体（メモリカード等）が検出された場合は、メモリカード内のファイル情報の取得、割り込み処理の登録等の初期設定を行う。
【００９６】
次に、システム制御回路１２０は、電源スイッチ１３６の設定位置を判断し、電源スイッチ１３６がＯＮであるときは（ステップＳ１０１でＹＥＳ）、ステップＳ１０２に進む。
【００９７】
ステップＳ１０２では、システム制御回路１２０は、電源回路１３０内のＤＣ／ＤＣコンバータや、電池等により構成される不図示の電源の残量や動作情況を監視する電源管理システムを起動させる。
【００９８】
次に、電子撮像装置１００を起動させるのに十分な電池残量や電源回路１３０により供給される電圧があるか否かを判別する（ステップＳ１０３）。この判別の結果、十分な電池残量や電圧があるときは、ステップＳ１０４に進む。一方、十分な電池残量や電圧がないときは、システム制御回路１２０内のメモリにエラー情報フラグを設定し、ステップＳ１２７に進む。
【００９９】
ステップＳ１０４では、カメラ制御回路１４０は、現在電子撮像装置１００に装着されているレンズユニット２００、ストロボユニット３００等を検出し、各アクセサリに関する情報を取得し、初期設定を実行する。また、カメラ制御回路１４０は、システム制御回路１２０からモードダイアルの設定位置の情報や、不揮発性メモリ１２９に保存されている撮影モードに関する設定情報を取得する。さらに、カメラ制御回路１４０は、測光部１４２、測距部１４３、また検出された各アクセサリの設定情報から適切な撮影条件設定処理を行う。また、システム制御回路１２０は、ステップＳ１０４で設定された撮影条件の情報を表示データとして生成し、液晶表示パネル部１２５に対して表示処理を行う。また、メニューモード（ステップＳ１１９）で予め設定され不揮発性メモリ１２９に保存された輝度設定情報より、バックライト照明部１２６の輝度設定を行う。
【０１００】
次に、システム制御回路１２０は、不図示のシステム制御回路内のタイマー機能の初期設定行う（ステップＳ１０５）。このタイマー機能により、ある一定期間電子撮像装置１００に設定されている操作部材１３１，１３２，１３３，１３４，１３５，１３６のいずれも押下されていない場合に、電子撮像装置１００の省電力待機処理（スリープモード）を実行する。
【０１０１】
次に、システム制御回路１２０は、電子撮像装置１００を起動させるのに十分な電池残量があるか否かを判別する（ステップＳ１１１）。この判別の結果、十分な電池残量があるときは、ステップＳ１１２に進む。一方、十分な電池残量がないときは、システム制御回路１２０内のメモリにエラー情報フラグを設定し、ステップＳ１２７に進む。
【０１０２】
ステップＳ１２７では、エラー情報フラグの内容を判断し、液晶パネル表示部１２５を用いて画像や音声による所定の警告表示を行う。次に、電源スイッチ１３６の設定位置を判断し、電源スイッチ１３６がＯＦＦであるときは（ステップＳ１２８でＹＥＳ）、ステップＳ１２５に進む。
【０１０３】
ステップＳ１１２では、システム制御回路１２０は、モードダイアル１３３の設定位置が変更されたか否かを判別する。この判別の結果、モードダイアル１３３の設定位置が変更された場合は、カメラ制御回路１４０へ現在の撮影条件を通知する。カメラ制御回路１４０が、通知された撮影モード情報から、撮影条件設定処理を実行し、液晶パネル表示部１２５に現在の撮影条件の表示更新を行い（ステップＳ１１３）、ステップＳ１１１に戻る。
【０１０４】
ステップＳ１１２の判別の結果、モードダイアル１３３の設定位置が変更されていないときは、ステップＳ１１４に進む。
【０１０５】
ステップＳ１１４では、システム制御回路１２０は、レリーズスイッチ１３４（ＳＷ１）が押下されたか否かを判別する。この判別の結果、レリーズスイッチ１３４（ＳＷ１）が押下されたときは、ＡＦ／ＡＥ、露光、現像、記録の一連のレリーズ処理を実行し（ステップＳ１１５）、ステップＳ１１１に戻る。
【０１０６】
ステップＳ１１４の判別の結果、レリーズスイッチ１３４（ＳＷ１）が押下されなかったときは、ステップＳ１１６に進む。
【０１０７】
ステップＳ１１６では、システム制御回路１２０は、再生スイッチ１３１が押下されたか否かを判別する。この判別の結果、再生スイッチ１３１が押下されたときは、再生モード処理により液晶表示パネル部１２５により撮影画像の再生表示を行い（ステップＳ１１７）、ステップＳ１１１に戻る。また、ステップＳ１１７の処理には、各種操作部材１３５により再生画像のページ送り／戻し、９画面同時表示（マルチ再生）、拡大表示、撮影条件表示（ＩＮＦＯ再生）、撮影画像の消去等の処理も含まれる。
【０１０８】
ステップＳ１１６の判別の結果、再生スイッチ１３１が押下されなかったときは、ステップＳ１１８に進む。
【０１０９】
ステップＳ１１８では、システム制御回路１２０は、メニュースイッチ１３２が押下されたか否かを判別する。この判別の結果、メニュースイッチ１３２が押下されたときは、ステップＳ１１９に進む。
【０１１０】
ステップＳ１１９では、液晶パネル表示部１２５に各種カメラ撮影の補助設定や、記録媒体へのユーティリティ等の各種項目を表示し、各種操作部材１３５のさまざまな操作部材により選択・実行を行い（ステップＳ１１９）、ステップＳ１１１に戻る。メニューモードの設定項目としては、バックライト照明１２６に対する輝度設定項目やバックライト照明に応じた表示データ切替機能の有効／無効設定項目も含まれている。
【０１１１】
ステップＳ１１８の判別の結果、メニュースイッチ１３２が押下されていなかったときは、ステップＳ１２０に進む。
【０１１２】
ステップＳ１２０では、システム制御回路１２０は、各種操作部材１３５のいずれかのスイッチが押下されたか否かを判別する。この判別の結果、各種操作部材１３５のいずれかのスイッチが押下されたときは、各種操作部材に応じた処理を実行し（ステップＳ１２１）、ステップＳ１１１に戻る。
【０１１３】
ステップＳ１２０の判別の結果、各種操作部材１３５のいずれかのスイッチが押下されなかったときは、ステップＳ１２２に進む。
【０１１４】
ステップＳ１２２では、システム制御回路１２０は、ステップＳ１０５のタイマー機能の初期設定を行ってから所定時間が経過したか否かを判別する。この判別の結果、所定時間が経過したときは、後述する図７のスリープモード処理を実行し（ステップＳ１２３）、ステップＳ１１１に戻る。
【０１１５】
ステップＳ１２２の判別の結果、ステップＳ１０５のタイマー機能の初期設定を行ってから所定時間が経過していないときは、ステップＳ１２４に進む。なお、タイマー機能は前述のステップＳ１１３、ステップＳ１１５、ステップＳ１１７、ステップＳ１１９、又はステップＳ１２１のいずれかが実行された場合には、必ずクリアされる。
【０１１６】
ステップＳ１２４では、システム制御回路１２０は、電源スイッチ１３６の設定位置を判断し、電源スイッチ１３６がＯＮであるか否かを判別する（ステップＳ１０１）。この判別の結果、電源スイッチ１３６がＯＮであるときは、ステップＳ１１１に戻る。一方、電源スイッチ１３６がＯＦＦであるときは、ステップＳ１２５に進む。
【０１１７】
ステップＳ１２５では、ステータス退避処理を行う。即ち、電子撮像装置１００の終了処理を行うために、フラグや制御変数等を含む必要なパラメータや設定値、撮影モード等を不揮発性メモリ１２９や、システム制御回路１２０内のメモリ等に記録する。
【０１１８】
次に、電源回路１３０により液晶パネル表示部１２５、外部着脱メモリ１２８、レンズユニット２００、ストロボユニット３００を含む電子撮像装置１００の各部不要な電源を遮断する。また、システム制御回路１２０は、動作状況を監視する電源管理システムを終了し（ステップＳ１２６）、ステップＳ１０１に戻る。
【０１１９】
図７は、図６のステップＳ１２３のスリープモード処理のフローチャートである。
【０１２０】
図７において、システム制御回路１２０は、ステップＳ１０４、ステップＳ１１３、ステップＳ１１７、ステップＳ１１９、又はステップＳ１２１のいずれかで生成された既存の表示データに対して、スリープモード用の表示データを生成する（ステップＳ１３１）。ここでは、不揮発性メモリ１２９に予め用意されたバックライト照明消灯モード用表示データ生成処理テーブルを参照し、メモリ１２７に格納された既存の表示データから、画像処理回路１２３に対して順次必要に応じた処理を実行する。処理後の表示データは、メモリ１２７に用意された表示データ生成用一時作業領域に格納される。処理を全て実行後、表示データは、メモリ制御回路１２４のより、メモリ１２７の一時作業領域から画像表示データ用格納領域へ転送される。また、輝度信号に対してゲイン補正を行うコントラスト変更処理、画素に対して誤差拡散演算処理、ディザ演算処理後、量子化処理を行う色階調変更処理等が行われる。また、文字やアイコンを任意の大きさに変更する拡大／縮小処理、文字やアイコンの色を任意に変更する色パレット変更処理等が行われる。
【０１２１】
次に、システム制御回路１２０は、画像処理回路１２３、液晶パネル表示部１２５に対して画像表示を開始するための画像表示処理設定を行う（ステップＳ１３２）。これにより、液晶表示パネル部１２５の表示パネル素子にステップＳ１３１で生成されたスリープモード用の表示データが出力される。
【０１２２】
次に、システム制御回路１２０は、バックライト照明部１２６を消灯する（ステップＳ１３３）。バックライト照明の消灯により大幅な消費電流の低減が可能となる。
【０１２３】
次に、システム制御回路１２０は、カメラ制御回路１４０に待機状態の命令を発行する。これにより、画像処理回路１２３、液晶パネル表示部１２５の画像表示処理、スリープモード解除となる操作部材１３１，１３２，１３３，１３４，又は１３５の各種スイッチ検出処理以外の処理を中断する。また、動作クロック周波数を低速に切り替え、低速動作モードに移行する（ステップＳ１３４）。これにより、システム制御回路１２０自体の消費電流を低減する。
【０１２４】
次に、システム制御回路１２０は、電源回路１３０の不要なブロックの電源供給を停止し（ステップＳ１３５）、ステップＳ１３６に進む。
【０１２５】
ステップＳ１３６では、システム制御回路１２０は、スリープモード解除となるウェイクアップに設定された各種スイッチのいずれかが押下されたか否かを判別する。この判別の結果、ウェイクアップに設定された各種スイッチのいずれかが押下されたときは、ステップＳ１３８に進み、ウェイクアップ動作を順次実行させる。一方、ウェイクアップに設定された各種スイッチのいずれかが押下されていないときは、ステップＳ１３７に進む。
【０１２６】
ステップＳ１３７では、電池残量が十分か否かを判別し、電池残量が十分でないときは、システム制御回路１２０内のメモリにエラー情報フラグを設定し、ステップＳ１２７に進む。一方、電池残量が十分であるときは、ステップＳ１３６に戻る。
【０１２７】
ステップＳ１３８では、ステップＳ１３５で停止された各ブロックへの電源供給を再開する。次に、システム制御回路１２０は、カメラ制御回路１４０に動作状態の命令を発行し、動作クロック周波数を高速に切り替え、高速動作モードに移行し、所定の処理を再開させる（ステップＳ１３９）。
【０１２８】
ステップＳ１４０では、システム制御回路１２０は、ステップＳ１３１でメモリ１２７に格納されたバックライト照明消灯モードでの表示データに対して、バックライト照明１２６の点灯時の輝度に応じた標準モード用の表示データを生成する。標準モード用の表示データは、メモリ１２７の所定の画像表示用格納領域へ転送される。尚、ステップＳ１３１において、既存の表示データをメモリ１２７の表示データ保管領域を確保してもよい。これにより、標準モード用の表示データを生成することなく、表示データ保管領域から画像表示用格納領域へ転送処理を行うことで、処理時間を短縮することができる。
【０１２９】
次に、システム制御回路１２０は、画像処理回路１２３、液晶パネル表示部１２５に対して画像表示を開始するための画像表示処理設定を行う（ステップＳ１４１）。これにより、液晶表示パネル部１２５の表示パネル素子にステップＳ１４０で生成された標準モード用の表示データが出力される。
【０１３０】
次に、システム制御回路１２０は、バックライト照明部１２６に点灯処理を行い（ステップＳ１４２）、本処理を終了して、ステップＳ１１１に戻る。尚、バックライト照明１２６の点灯時の輝度は、スリープモード移行前に設定されている輝度となる。
【０１３１】
図７の処理によれば、スリープモード用の表示データを生成する（ステップＳ１３１）ので、バックライト照明１２６の消灯時にも視認性及び表示品位を維持することができる。
【０１３２】
図８は、図４の電子撮像装置１００における撮影条件の表示データを示す図であり、（ａ）はバックライト照明１２６の点灯時を示し、（ｂ）はバックライト照明１２６の消灯時を示す。
【０１３３】
図８（ａ）において、標準モード用の表示データ４００は、図５のステップＳ１０４、又は図６のステップＳ１１３の撮影条件設定処理において、液晶パネル表示部１２５に表示される。
【０１３４】
表示データ４００は、シャッター１４４や絞り２１１の設定情報４０１、撮影ＩＳＯ感度情報４０２、電源部１３０により判断された電池残量情報４０３、記録画質、ホワイトバランス、赤目緩和機能等の設定情報４０４を含む。また、表示データ４００は、露出を決めるための測光モード情報４０５と、カメラ制御回路１４０が測光部１４２から取得した情報を元に選択された測光モード条件により判断した露出計４１１、外部着脱メモリ部１２８に装着されたＣＦカード等の記録媒体への記録可能枚数情報４０６を含む。
【０１３５】
また、表示データ４００は、現在の日付時刻情報４０７、ホワイトバランスブラケット撮影の設定情報４０８、ホワイトバランス演算時の参照パラメータの設定情報４０９、撮影後の撮影画像を液晶パネル表示部１２５に表示するための設定情報４１０を含む。
【０１３６】
表示データ４００は、多階調色を使用しており、使用文字数も多く、豊富な表現の構成になっている。また、表示データ４００は、文字と背景色との輝度に差が少なく、低コントラストであるためバックライト照明を消灯し表示を続けた場合、文字やアイコンが読み取りにくくなる。
【０１３７】
図８（ｂ）において、スリープモード用の表示データ５００は、電子撮像装置１００のスリープモード動作である図７のスリープモード処理において、液晶パネル表示部１２５に表示される。
【０１３８】
表示データ５００は、表示データ４００と比較して、表示項目が大幅に削減された構成になっている。また、表示データ５００では、シャッター１４４や絞り２１１の設定情報５０１、電池残量情報５０２、記録媒体への記録可能枚数５０３、ホワイトバランス設定情報５０４が拡大強調されている。
【０１３９】
さらに、表示データ５００では、表示項目削減により、項目ごとの説明文字を加えることが可能になっている。項目ごとの説明文字は、例えば、表示モードダイアル１３３の設定情報である「MANUAL MODE」、記録媒体の種類を示す「CF-CARD」、ホワイトバランスを示すＷＢ、電池残量を示す「BATTERY MARK」等である。また、表示データ５００では、使用される色は２色であり、輝度の差は高くなっている。このような表示データ５００によれば、バックライト照明１２６を消灯した場合であっても文字やアイコンは読み取りやすくなる。
【０１４０】
尚、本実施の形態では、表示装置１５は、電池による電源供給を想定した構成となっているが、太陽光やその他自発性エネルギーを電源とした構成としても問題ない。
【０１４１】
また、本実施の形態では、表示装置１５、又は電子撮像装置１００は、不揮発性メモリにプログラムや、表示データを備えた構成を想定しているが、ハードディスクやＤＶＤ−ＲＯＭ、ＣＤ−ＲＯＭ等による構成としても問題ない。
【０１４２】
また、本実施の形態では、電子撮像装置１００は、レンズ交換デジタルカメラを想定した構成となっているが、レンズ一体型のコンパクトディジタルカメラのような構成としても問題ない。
【０１４３】
また、記録媒体は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても問題無い。
【０１４４】
また、外部着脱メモリ２９は、複数の任意の個数接続可能な構成であっても構わない。
【０１４５】
また、本実施の形態では、電子撮像装置１００に記録媒体を装着する構成として説明したが、記録媒体は単数又は複数のいずれの組み合わせの構成であっても問題無い。
【０１４６】
また、本実施の形態では、カメラ制御回路１４０、システム制御回路１２０は、独立した回路構成としているが、システム制御回路１２０により上記カメラ制御手段を兼ね備えた構成であっても問題ない。
【０１４７】
また、本実施の形態では、バックライト照明１２６の消灯時の表示データは、システム制御回路１２０に予め用意された表示データの構成に基づき生成するとしている。しかし、メニューの設定項目により表示データの構成をユーザーが任意に選択することとしても問題ない。
【０１４８】
上記の実施の形態で説明した処理、機能等は、いずれもコンピュータ読み取り可能なプログラム等で実現することもできる。
【０１４９】
この場合、上記の実施の形態で説明した処理、機能等は、システム又は装置に含まれるコンピュータ（ＣＰＵ、ＭＰＵ等でもよい）が上記のプログラム等を実行することによって実現されることになる。言い換えれば、上記のプログラム等が、システム又は装置に含まれるコンピュータに、上記の実施の形態で説明した処理、機能等を実行させることになる。また、この場合、上記のプログラム等は、コンピュータ読み取り可能な記憶媒体又はネットワークを介してシステム又は装置に含まれるコンピュータに提供されることになる。
【０１５０】
システム又は装置に含まれるコンピュータに上記のプログラム等を提供する記憶媒体には、磁気ディスク、光ディスク、光磁気ディスク、ハードディスク、磁気テープ、不揮発性メモリ等を用いることができる。
【０１５１】
また、上記のプログラム等は、その一部をコンピュータ上で稼動しているＯＳ（オペレーティングシステム）等を用いて構成してもよい。
【０１５２】
さらに、上記のプログラム等は、その一部をコンピュータに挿入された機能拡張ボードやコンピュータに接続された機能拡張ユニットで実行するように構成してもよい。
【図面の簡単な説明】
【０１５３】
【図１】本発明の実施の形態に係る表示装置の内部構成を示すブロック図である。
【図２】図１におけるシステム制御回路１により実行される液晶表示制御処理のフローチャートである。
【図３】図２の液晶表示制御処理の変形例のフローチャートである。
【図４】本発明の第２の実施の形態に係る表示装置を有する電子撮像装置の構成を示すブロック図である。
【図５】図４におけるシステム制御回路１２０により実行される制御処理のフローチャートである。
【図６】図４におけるシステム制御回路１２０により実行される制御処理のフローチャートである。
【図７】図６のステップＳ１２３のスリープモード処理のフローチャートである。
【図８】図４の電子撮像装置１００における撮影条件の表示データを示す図であり、（ａ）はバックライト照明１２６の点灯時を示し、（ｂ）はバックライト照明１２６の消灯時を示す。
【符号の説明】
【０１５４】
１  システム制御回路
２  電源スイッチ
５  操作部材
６  タイマー制御部
７  画像表示処理部
８  液晶駆動回路
９  液晶パネル表示素子
１０  照明輝度変更回路
１１  バックライト照明
１５  表示装置
【図１】
2008026546.tif 000003
【図２】
2008026546.tif 000004
【図３】
2008026546.tif 000005
【図４】
2008026546.tif 000006
【図５】
2008026546.tif 000007
【図６】
2008026546.tif 000008
【図７】
2008026546.tif 000009
【図８】
2008026546.tif 000010